(57)【特許請求の範囲】
【請求項１】
電子回路基板の隅部に抜き差し用のインジェクタが設けられ、筐体の正面開口を介して挿入され当該筐体の背面板に着脱自在で電気的に接続された前記電子回路基板の当該正面開口側の板端面に交差して固定されて前記インジェクタの取手部に対向する脱落防止部材を備えた、電子回路基板の脱落防止構造であって、
前記脱落防止部材は、帯状体であり、前記帯状体の両端部にそれぞれ設けられた、前記帯状体の長手方向に交差する一対の摺動溝と、前記摺動溝の各々の両端に設けられた係止部と、を有し、
前記摺動溝及び前記係止部を介して、前記筐体の正面開口の縁部に対し前記脱落防止部材を保持する保持手段と、を更に含み、
前記脱落防止部材は、一方の前記係止部の電子回路基板の挿抜可能位置と他方の前記係止部の電子回路基板の脱落防止位置との間で前記摺動溝に沿って少なくとも２方向に移動可能であり、
前記脱落防止部材は、前記脱落防止部材の両端部の間に亘り前記脱落防止部材の本体の角部から曲がった屈曲部を有し、
前記一対の摺動溝の各々が、前記脱落防止部材の本体から前記屈曲部にかけて前記角部を跨いで設けられており、
前記係止部として抑止位置溝と解放位置溝が、前記角部を挟んで前記摺動溝のそれぞれに設けられ、
前記電子回路基板が接続された状態において、前記屈曲部の反対側の前記脱落防止部材の本体の縁部が、前記解放位置溝による挿抜可能位置から前記抑止位置溝による脱落防止位置に移動すると、前記正面開口側の板端面から前記インジェクタの取手部に近づくように、前記角部の曲げ角度が設定されている
ことを特徴とする電子回路基板の脱落防止構造。
【請求項２】
電子回路基板の隅部に抜き差し用のインジェクタが設けられ、筐体の正面開口を介して挿入され当該筐体の背面板に着脱自在で電気的に接続された前記電子回路基板の当該正面開口側の板端面に交差して、前記筐体の正面開口の縁部に沿って移動自在に保持されて前記インジェクタの取手部に対向する帯状の脱落防止部材であって、
前記脱落防止部材の両端部にそれぞれ設けられ前記脱落防止部材の長手方向に交差する一対の摺動溝を有し、
前記摺動溝の各々は、前記摺動溝の両端に設けられた係止部を有し、
前記係止部の間隔は、前記脱落防止部材の本体の長手側面が前記電子回路基板の板端面に交差する脱落防止位置と前記脱落防止部材の前記長手側面が前記電子回路基板の板端面に交差しない挿抜可能位置との間に対応する距離だけ離れており、
前記脱落防止部材は、前記脱落防止部材の両端部の間に亘り前記脱落防止部材の本体の角部から曲がった屈曲部を有し、
前記一対の摺動溝の各々が、前記脱落防止部材の本体から前記屈曲部にかけて前記角部を跨いで設けられており、
前記係止部として抑止位置溝と解放位置溝が、前記角部を挟んで前記摺動溝のそれぞれに設けられ、
前記電子回路基板が接続された状態において、前記屈曲部の反対側の前記脱落防止部材の本体の縁部が、前記解放位置溝による挿抜可能位置から前記抑止位置溝による脱落防止位置に移動すると、前記正面開口側の板端面から前記インジェクタの取手部に近づくように、前記角部の曲げ角度が設定されている
ことを特徴とする脱落防止部材。
【請求項３】
前記脱落防止部材の前記長手側面から立設され突出する前記屈曲部とは反対側に曲がった突出部を有することを特徴とする請求項２に記載の脱落防止部材。
【請求項４】
前記一対の摺動溝の一方は他方よりも幅が広いことを特徴とする請求項２又は３に記載の脱落防止部材。
【請求項５】
前記係止部は、前記摺動溝の一端部から前記帯状体の長手方向に平行に延長された係止溝であることを特徴とする請求項２乃至４のいずれか１に記載の脱落防止部材。
【請求項６】
前記係止部は、前記摺動溝の各々の両端部から前記帯状体の長手方向に平行に延長された一対の平行な係止溝であることを特徴とする請求項２乃至４のいずれか１に記載の脱落防止部材。
【発明の詳細な説明】
【技術分野】
【０００１】
本発明は、筐体内に着脱自在で電気的に接続、保持された電子回路基板が脱落することを防止する脱落防止部材および脱落防止構造に関する。
【背景技術】
【０００２】
ドーターボードなどの電子回路基板が地震などの振動により筐体内の嵌合部から外れ、飛び出さないようにする脱落防止構造が知られている。例えば、特許文献１には、電気基板が抜け落ちないように脱落防止機構を有する電気基板収納ケースが記載されている。特許文献２には、回路基板パッケージが脱落しないようなロック構造を用いることが記載されている。特許文献３には、プリント基板が脱落しないようなプリント基板押さえ構造が記載されている。
【先行技術文献】
【特許文献】
【０００３】
【特許文献１】特開平7-240588号公報
【特許文献２】特開平8-333262号公報
【特許文献３】特開2010-278230号公報
【発明の概要】
【発明が解決しようとする課題】
【０００４】
筐体内に収納された電子回路基板が振動により筐体から脱落しないようにする際は、専用の脱落防止部材を用い電子回路基板の板端面に接触させている。例えば、特許文献１に記載された従来の技術においては、棒状の係合操作部を電気基板収納ケースの開口の側壁に架け渡してスライドさせる一対の案内孔を当該開口の両側壁にそれぞれ対向して設けて脱落防止を達成している。しかしながら、当該開口の両側壁に案内孔を形成する故に、該収納ケース自体が大型化すると共に当該係合操作部と案内孔のための製造コストが高くなるという問題があった。
【０００５】
特許文献２のロック構造や特許文献３に記載されたプリント基板押さえ構造においてもプリント基板の板端面に沿ってスライドさせて、当該板端面を抑える構造を採用している。
【０００６】
特許文献３のプリント基板押さえ構造においては、プリント基板を支持する支持板と、該支持板のプリント基板に対向する位置に穿孔されたスリットと、該スリットを通って突出するストッパである突起部を有するプリント基板押え部材と、が設けられている。しかしながら、プリント基板取り出し時に突起部のストッパが残っていて、パッケージの挿抜動作の邪魔になる問題があった。すなわち、プリント基板取り出し時にプリント基板またはストッパを壊す可能性がある。ストッパが下側の小さい部分なので、ユーザが脱落防止機能になっていることに気づかず無理にプリント基板を抜去しようとしてプリント基板などを壊してしまう問題があった。
【０００７】
本発明は上記した従来の問題に鑑みなされたものであり、筐体内に収納された電子回路基板（以下、パッケージともいう）の脱落防止機構を低コストで実現できる脱落防止部材とそれを用いた脱落防止構造を提供することを目的とする。
【課題を解決するための手段】
【０００８】
本発明の脱落防止構造は、筐体の正面開口を介して挿入され当該筐体の背面板に着脱自在で電気的に接続された電子回路基板の当該正面開口側の板端面に交差して固定される脱落防止部材を備えた、電子回路基板の脱落防止構造であって、
前記脱落防止部材は、帯状体であり、前記帯状体の両端部にそれぞれ設けられた、前記帯状体の長手方向に交差する一対の摺動溝と、前記摺動溝の各々の両端に設けられた係止部と、を有し、
前記摺動溝及び前記係止部を介して、前記筐体の正面開口の縁部に対し前記脱落防止部材を保持する保持手段と、を更に含み、
前記脱落防止部材は、一方の前記係止部の電子回路基板の挿抜可能位置と他方の前記係止部の電子回路基板の脱落防止位置との間で前記摺動溝に沿って少なくとも２方向に移動可能であることを特徴とする。
【発明の効果】
【０００９】
本発明によれば、電子回路基板（以下、パッケージともいう）の固定構造において、保持手段としてのネジ１個の締めと緩めで、脱落防止部材の開口平面内の少なくとも２つの方向のスライドにより脱落防止機能の実現とその解除の変更が可能となる。
【図面の簡単な説明】
【００１０】
【図１】図１は、本発明による実施例１の脱落防止部材の一部を示す概略平面図である。
【図２】図２は、パッケージ挿抜可能状態における実施例１の筐体とパッケージとの一部を示す概略分解斜視図である。
【図３】図３は、嵌合コネクタとベースコネクタの嵌合時における、開口縁部の係止溝の内側に、インジェクタが収まっている様子を示す実施例１の筐体とパッケージの部分的側面図である。
【図４】図４は、実施例１のパッケージ脱落防止部材の概略斜視図である。
【図５】図５は、パッケージを筐体に保管、挿入する時における、パッケージ脱落防止部材とインジェクタが緩衝している様子を示す実施例１の筐体とパッケージの部分的側面図である。
【図６】図６は、実施例１のパッケージ脱落防止部材の一部分を示す概略平面図である。
【図７】図７は、実施例１の段つきスペーサの側面図である。
【図８】図８は、パッケージを筐体に保管、挿入する時における、脱落防止部材とインジェクタの様子を示す実施例１の筐体とパッケージの部分的側面図である。
【図９】図９は、パッケージ脱落防止状態における実施例１の筐体とパッケージとの一部を示す概略分解斜視図である。
【図１０】図１０は、パッケージ脱落防止状態における実施例１の筐体とパッケージの部分的側面図である。
【図１１】図１１は、実施例１のパッケージ脱落防止部材がパッケージ挿抜可能位置にある状態からパッケージ脱落防止位置にある状態に至るまでの様子を説明する図である。
【図１２】図１２は、実施例の変形例のパッケージ脱落防止部材の一部分を示す概略平面図である。
【発明を実施するための形態】
【００１１】
以下、図面を参照しつつ本発明による実施例の脱落防止部材の例について詳細に説明する。なお、本発明は以下の実施例に限定されるものではない。なお、実施例において、実質的に同一の機能および構成を有する構成要素については、同一の符号を付することにより重複説明を省略する。
【実施例１】
【００１２】
図１は、本発明による実施例１のブックシェルフタイプユニットのパッケージ収容構造の一部を示す概略分解斜視図である。
【００１３】
ブックシェルフタイプユニット１は、正面が開放された開口を有する長方体形状の筐体である。ブックシェルフタイプユニット（以下、筐体という）１には、側面板１ａが左右に組み付けられている。ただし、左側の側面板は説明を明確にするため図示していない。
【００１４】
筐体１の開口の奥は背面板２により閉ざされ、左右の側面板１ａの間に保持される上面板３と底面板４の間に、複数のパッケージ収納用の中空空間が画定されている。
【００１５】
筐体１の開口上部の縁部５の内側には、縁部５に沿って延在する係止凹部６が形成されている。係止凹部６は「コ」字形状の横断面を有し、下方に向け開口させて形成されている。縁部５は上面板３と一体化または固着されている。
【００１６】
それぞれのパッケージ（図示せず）に接続される複数のベースコネクタ７ａは、背面板２に水平方向に並べて取り付けられている。パッケージを誘導するガイド８は、奥行き方向に平行に形成されている。ガイド８は、例えば、上面板３と底面板４に打ち出し板金加工で形成された複数の通風開口の打出部の間の線状の隙間で構成されている。各ガイド８の延長線上には、それぞれベースコネクタ７ａが対応している。
【００１７】
筐体１の開口の縁部５の両端部には、雌ネジの一対の貫通穴９が螺設されている。パッケージの脱落防止用の脱落防止部材１０は、その両端の連結部１０ｂの第１および第２異型穴１１、１２を介して取付けネジ４０ａ、４０ｂを貫通穴９へ螺合して固定される。段つきスペーサ３０は、取付けネジ４０ａにより、縁部５に固定される。脱落防止部材１０の取付けネジ４０ａ側は、段つきスペーサ３０を介して縁部５に摺動自在に保持される。
【００１８】
図２は、パッケージ挿抜可能状態における実施例１の筐体１とパッケージＰＢとの一部を示す概略分解斜視図である。図において、脱落防止部材１０は、パッケージＰＢが筐体１の内部に正面から抜き差しできる解放位置に、保持されている。
【００１９】
パッケージＰＢは、前記中空空間に挿入できる大きさの長方形の電子回路基板である。パッケージＰＢの実装面には図示しない導電パターンや多数の電子部品が形成されている。パッケージＰＢの背面側の一辺には、導電パターンに接続された嵌合コネクタ７ｂが設けられている。パッケージＰＢの正面側の上辺の隅部には、抜き差し用のインジェクタＥが設けられている。
【００２０】
パッケージＰＢは、嵌合コネクタ７ｂ側から、筐体１の正面から内部に脱落防止部材１０の下を通し差し込まれる。パッケージＰＢが筐体１の内部に収容されると、図２のように嵌合コネクタ７ｂがベースコネクタ７ａに嵌合して、パッケージＰＢが外部機器に電気的に接続される。
【００２１】
図３は、嵌合コネクタがベースコネクタに嵌合されているパッケージ収納時において、インジェクタＥが縁部５の係止凹部６の内側に収まっている様子を示す部分的側面図である。
【００２２】
インジェクタＥは、パッケージＰＢの正面開口側の板端面上部の隅部に回動軸Ｅａを中心に回動可能に取り付けられている。インジェクタＥは、回動軸Ｅａから長く張り出した取手部Ｅｂと、それとは反対に短く張り出した作用部Ｅｃとを有する。パッケージ収納時、インジェクタＥは、取手部ＥｂがパッケージＰＢの正面開口側の板端面に沿って下され、その作用部ＥｃがパッケージＰＢの上部の板端面から張り出している。インジェクタＥにおいて、取手部Ｅｂの自由端部と回動軸Ｅａと作用部Ｅｃは力点と支点と作用点の関係になっている。
【００２３】
図４は、実施例１の脱落防止部材１０の概略斜視図である。脱落防止部材１０は、筐体１の開口の縁部５と同程度の長さを有する帯状の金属の板材である。脱落防止部材１０は、その本体１０ａの両端の連結部１０ｂの部分を残して、その長手側面から横断面がＬ字形の略９０度で折り曲げて作られた突出部１０ｃを備えている。脱落防止部材１０の本体１０ａの帯状体には、その両端部の間に亘り突出部１０ｃとは反対側に略０〜９０度で折り曲げた「へ」字形状の横断面の屈曲部１０ｄを有する。本体１０ａと屈曲部１０ｄとは曲げ角度θをなしている。このように、実施例１の脱落防止部材１０は突出部１０ｃと同じ方向に隆起する角部Ａを有する。
【００２４】
脱落防止部材１０の突出部１０ｃの長さを調節すれば、図５に示すように、パッケージＰＢを筐体１に保管の挿入の際、突出部１０ｃにインジェクタＥの作用部Ｅｃが緩衝し、嵌合コネクタ７ｂが筐体１のベースコネクタ７ａに達せず、コネクタ嵌合を意図しないときコネクタ同士が接しないように設定できる。この突出部１０ｃにより、パッケージＰＢの半差し防止が達成できる。
【００２５】
図４に示すように、脱落防止部材１０の本体１０ａと屈曲部１０ｄの左右の連結部１０ｂには、その板厚を貫通した第１および第２異型穴１１、１２がそれぞれ設けられている。図６に示すように、第１および第２異型穴１１、１２は、各々、抑止位置溝１５、２０、解放位置溝１６、２１、および摺動溝１７、２２から構成されている。摺動溝１７、２２は脱落防止部材１０の長手方向に対して交差するように垂直に伸びている。抑止位置溝１５、２０と解放位置溝１６、２１はネジの係止部であり、摺動溝１７、２２の両端から該長手方向に平行に同一方向に延長された一対の平行な係止溝である。第１および第２異型穴１１、１２において抑止位置溝１５、２０と解放位置溝１６、２１は、平行に段違いに穿設されている。抑止位置溝１５、２０と解放位置溝１６、２１の中心線の間隔Ｌは等しい。抑止位置溝１５、２０と解放位置溝１６、２１の間隔Ｌは、本体１０ａの長手側面がパッケージの板端面のインジェクタＥの取手部Ｅｂに交差する脱落防止位置と本体１０ａの長手側面がパッケージの板端面のインジェクタＥの取手部Ｅｂに交差しない挿抜可能位置との間に対応する距離だけ離れている。摺動溝１７、２２の中心線の間隔ＬＬは、一対の雌ネジの貫通穴９（図１）の中心の間隔に等しい。また、抑止位置溝１５、２０同士のネジ位置間隔と解放位置溝１６、２１同士のネジ位置間隔も、摺動溝１７、２２の中心線の間隔ＬＬに等しい。すなわち、抑止位置溝１５、２０と解放位置溝１６、２１は摺動溝１７、２２から等距離で終端している。なお、第２異型穴１２の抑止位置溝１２、解放位置溝２１および摺動溝２２の幅は、挿入されている取付けネジ４０ｂ（図１）を緩めた時に、当該取付けネジ４０ｂの棹部に対して脱落防止部材１０が摺動できる幅に設定されている。
【００２６】
図７は、実施例１の段つきスペーサ３０の側面図である。段つきスペーサ３０は大小の外径の２段の円筒を同軸に重ねた形状を有している。縁部５（図１）に接する小外径の段部３０ａは、段部長さ３０Ｌと段部外径３０ｓＤを有している。脱落防止部材１０の抑止位置溝１５および解放位置溝１６（図６）の幅１５Ｗ、１６Ｗは、段つきスペーサ３０の段部直径３０ｓＤより若干大きくなっている。また、段部長さ３０Ｌは脱落防止部材１０の板厚１０Ｔ（図４）よりも長くなっている。よって、段部３０ａがより、第１異型穴１１の抑止位置溝１５と解放位置溝１６に嵌合できる。脱落防止部材１０の摺動溝１７（図６）の幅１７Ｗは、段つきスペーサ３０の直径３０Ｄより大きくなっている。よって、段つきスペーサ３０により、脱落防止部材１０が摺動溝１７内で摺動できる。
【００２７】
実施例１の動作を説明する。図８に示すように、インジェクタＥの取手部Ｅｂを図の矢印方向に回して水平にしながら、パッケージＰＢを垂直にして、筐体１の正面開口からガイド８に沿って内部に挿入する。挿入したパッケージＰＢの嵌合コネクタ７ｂが筐体１のベースコネクタ７ａに接触したときに、パッケージＰＢの挿入を一旦停止する。挿入停止後、インジェクタＥの取手部Ｅｂを、矢印と逆の方向に回動して下げる。開口の縁部５の係止凹部６内に進入した作用部Ｅｃが凹部内側面に接触してパッケージＰＢ側が反動で筐体１の内部に押し込まれる。この場合、取手部Ｅｂと作用部Ｅｃの支点とに基づく梃子の原理が働いて、僅かな力で嵌合コネクタ７ｂをベースコネクタ７ａに嵌合させることができる。縁部５の係止凹部６内に作用部Ｅｃが挿入され、作用部Ｅｃが係止凹部６内に保持される（図３）。同じ操作手順で筐体１の内部に、複数のパッケージＰＢが平行に並べられて順次収納される。
【００２８】
次に、パッケージ嵌合完了後に、脱落防止部材１０をパッケージ脱落防止位置へ変更する。
【００２９】
図２に示すように、右の取付けネジ４０ｂを緩めて、脱落防止部材１０を第１および第２異型穴１１、１２の段違いの下段（図６の解放位置溝１６、２１）から上段（図６の抑止位置溝１５、２０）の溝側に移し換える。すなわち、図９に示すように、筐体１の正面開口の平面内で脱落防止部材１０を下方側に向かって摺動させる。図９に示す段つきスペーサ３０および取付けネジ４０ｂに対して第１および第２異型穴１１、１２の上段溝への移し換えによって、図１０に示すように、脱落防止部材１０の本体１０ａがインジェクタＥの取手部Ｅｂに広い面積で対面するようになる。この状態で、取付けネジ４０ｂを締め付け、脱落防止部材１０を固定する。これにより、脱落防止部材１０の本体１０ａは、インジェクタＥの作用部Ｅｃを係止凹部６内に保持したまま、インジェクタＥの回転を抑止することになる。
このようにして、インジェクタＥの回転を抑止することにより、筐体１の内部に収納された複数のパッケージＰＢの全ての抜け出しが防止される。図１０に示すように、インジェクタＥの取手部Ｅｂが脱落防止部材１０の本体１０ａで抑止されているので、その作用部Ｅｃは振動などが加わっても、係止凹部６内に保持される。
【００３０】
脱落防止部材１０をパッケージ脱落防止位置へ変更する手順をより具体的に説明する。図１１は、筐体の縁部５に対して脱落防止部材１０がパッケージ挿抜可能位置にある状態からパッケージ脱落防止位置に至るまでの時系列の様子を示す図である。図１１Ａ〜Ｅの縦列は時系列の様子を示し、各横列は、縁部５と脱落防止部材１０の左側面図、脱落防止部材１０の両端だけの部分正面図及び縁部５と脱落防止部材１０の右側面図である。図１１Ａに示すパッケージ挿抜可能位置においては、脱落防止部材１０は、取付けネジ４０ａが第１異型穴１１の解放位置溝１６に、取付けネジ４０ｂが第２異型穴１２の解放位置溝２１の位置（解放位置溝）に、それぞれ締め付け固定されている。図１１Ｂに示すように、脱落防止部材１０を固定しているネジ２個のうち右側の取付けネジ４０ｂを緩める。脱落防止部材１０を左側にずらす。図１１Ｃに示すように、脱落防止部材１０を筐体の縁部５から浮かし下にずらす。図１１Ｄに示すように、脱落防止部材１０を第２異型穴１２の上端まで下ろし、取付けネジ４０ｂに当てる。図１１Ｅに示すように、脱落防止部材１０を右（抑止位置溝）にずらす。そして、取付けネジ４０ｂを締め付ける（パッケージ脱落防止位置）。このようにして、脱落防止部材１０を筐体１に対して「コ」字形状を下から描くように摺動させて、図９、図１０に示すようなパッケージ脱落防止状態となる。
【００３１】
以上のように本実施例によれば、パッケージ固定構造は、ネジ１個の締めと緩めで、脱落防止部材のスライドにより脱落防止機能の実現と解除の変更が可能となる。脱落防止機能の解除時にはパッケージ挿抜可能位置に邪魔になるものがないので、パッケージ挿抜の際、パッケージと脱落防止部材を破壊することがない。パッケージを抜去の際、手が触れる箇所に脱落防止部材があるので、脱落防止機能の状態に当該部材がなっていることに気づき、無理にパッケージを抜くことがなく、脱落防止部材を壊してしまうことがない。１つの構造物（脱落防止部材）によって、すべての収容パッケージに対して、半差し防止機能と脱落防止機能の２つの機能が得られる。ネジを外すことなく機能変更が可能なので、ネジと脱落防止部材が脱落することがない。脱落防止のネジを用いれば、不慮のネジ脱落もなくなる。
【００３２】
以上、本実施例では、筐体に適用した例を用い説明したが、脱落防止部材の幅や、長さを変えることにより、着脱を要するパッケージと部品を有している装置にも適用可能である。図４に示す脱落防止部材１０の本体１０ａと屈曲部１０ｄとの角度θを任意の曲げ角度に設定することにより奥行（図１０の本体１０ａと取手部Ｅｂとの距離ｘ）の異なる様々なパッケージ内蔵装置にも適用可能である。
【００３３】
更に、本実施例の変形例としては、上記の脱落防止部材１０を筐体１に対して「コ」字形状に摺動させる摺動溝パターン以外に、他の摺動溝パターンで脱落防止部材１０を摺動させて、パッケージ挿抜可能状態とパッケージ脱落防止状態の遷移させる構成とすることもできる。
【００３４】
図１２は、実施例１の変形例のパッケージ脱落防止部材の一部分を示す概略平面図である。図１２Ａに示す脱落防止部材１０の摺動溝パターンによれば、脱落防止部材１０を筐体１に対して、数字の「７」字形状を上下反転させた形状を下から描くように摺動させて、パッケージ挿抜可能状態からパッケージ脱落防止状態へ遷移可能となる。図１２Ｂに示す脱落防止部材１０の摺動溝パターンによれば、脱落防止部材１０を筐体１に対して、「Ｚ」字形状を上下反転させた形状を下から描くように摺動させて、パッケージ挿抜可能状態からパッケージ脱落防止状態へ遷移可能となる。図１２Ｃに示す脱落防止部材１０の摺動溝パターンによれば、脱落防止部材１０を筐体１に対して、鉤括弧」「を合体させた字形状を下から描くように摺動させて、パッケージ挿抜可能状態からパッケージ脱落防止状態へ遷移可能となる。本発明においては、脱落防止部材１０の抜可能位置とパッケージ脱落防止位置を規定する摺動溝１７、２２の各々の両端に設けられた係止部、すなわち、抑止位置係止部１５ａ、２０ａ及び解放位置係止部１６ａ、２１ａがあり、該係止部の間で脱落防止部材１０が少なくとも２方向に摺動自在であればよい。
【符号の説明】
【００３５】
１  筐体
２  背面板
３  上面板
４  底面板
５  縁部
６  係止凹部
７ａ  ベースコネクタ
７ｂ  嵌合コネクタ
８  ガイド
９  貫通穴
１０  脱落防止部材
１０ａ  本体
１０ｂ  連結部
１０ｃ  突出部
１０ｄ  屈曲部
１１  第１異型穴
１２  第２異型穴
１５、２０  抑止位置溝
１６、２１  解放位置溝
１７、２２  摺動溝
３０  段つきスペーサ
ＰＢ  パッケージ
Ｅ  インジェクタ
【図１】
0006784048.tif 000002
【図２】
0006784048.tif 000003
【図３】
0006784048.tif 000004
【図４】
0006784048.tif 000005
【図５】
0006784048.tif 000006
【図６】
0006784048.tif 000007
【図７】
0006784048.tif 000008
【図８】
0006784048.tif 000009
【図９】
0006784048.tif 000010
【図１０】
0006784048.tif 000011
【図１１】
0006784048.tif 000012
【図１２】
0006784048.tif 000013